(57)【要約】【課題】部品点数が少なく施工が容易であるとともに、コストが安く、長尺の部品を使用する必要がなく、作業性、運搬や保管の容易な太陽光利用パネルの設置台、設置装置、設置構造を提供する。【解決手段】前側の太陽光利用パネル５の上部枠５ａを固定するための上側固定部２ａと、後側の太陽光利用パネル５の下部枠５ｂを固定するための下側固定部２ｂと、水平状面Ｇへの接地部２ｃを一体的に設けたことを特徴とする太陽光利用パネルの設置台１Ａ、当該設置台１Ａに固定金具４が設けられたことを特徴とする設置装置１Ｂ、及びこの設置装置１Ｂを利用した太陽光利用パネルの設置構造を提供する。【選択図】図１
2011099256.tif 000002
【特許請求の範囲】
【請求項１】
水平状面に太陽光利用パネルを列設するための設置台であって、
前側の太陽光利用パネルの上部枠を固定するための上側固定部と、後側の太陽光利用パネルの下部枠を固定するための下側固定部と、水平状面への接地部を一体的に設けたことを特徴とする太陽光利用パネルの設置台。
【請求項２】
コンクリート製であることを特徴とする請求項１に記載の太陽光利用パネルの設置台。
【請求項３】
繊維混入プレス成形セメントモルタル製であることを特徴とする請求項１又は２に記載の太陽光利用パネルの設置台。
【請求項４】
請求項１乃至３のいずれか１項に記載の設置台の上側固定部及び／又は下側固定部に太陽光利用パネルの上部枠又は下部枠を固定するための固定金具が設けられていることを特徴とする太陽光利用パネルの設置装置。
【請求項５】
固定金具は上部枠又は下部枠を掛止するための鉤部材と、鉤部材を前後に摺動可能とするための軌道部材と、前記鉤部材と軌道部材を一体化させるための締結部材からなることを特徴とする請求項４に記載の太陽光利用パネルの設置装置。
【請求項６】
水平状面に載置された請求項４又は５に記載の設置装置とその前側及び／又は後側に配置された太陽光利用パネルからなる太陽光利用パネルの設置構造であって、
前記設置装置の下側固定部に後側の太陽光利用パネルの下部枠が固定されており、
前記設置装置の上側固定部に前側の太陽光利用パネルの上部枠が固定されていることを特徴とする太陽光利用パネルの設置構造。
【請求項７】
太陽光利用パネルが少なくとも４隅付近で設置装置に固定されていることを特徴とする請求項６に記載の太陽光利用パネルの設置構造。
【請求項８】
太陽光利用パネルの傾斜角αが４〜２５°であり、前側に設置した太陽光利用パネルの上部枠と、後側に設置した太陽光利用パネルの下部枠のなす角βが３０〜６０°であることを特徴とする請求項６又は７に記載の太陽光利用パネルの設置構造。
【請求項９】
太陽光利用パネルの側面に防風板が設けられることを特徴とする請求項６乃至８のいずれか１項に記載の太陽光利用パネルの設置構造。
【請求項１０】
設置台の接地部が、水平状面に固定されていることを特徴とする請求項６乃至９のいずれか１項に記載の太陽光利用パネルの設置構造。
【発明の詳細な説明】
【技術分野】
【０００１】
本発明は太陽電池モジュール等の太陽光利用パネルを陸屋根や平地といった水平状面に固定するための太陽光利用パネルの設置台、設置装置、及び設置構造に関し、更に詳しくは、安価で、部品点数が少なく施工が容易であるとともに風の影響を受けにくい太陽光利用パネルの設置台、設置装置、及び設置構造に関するものである。
【背景技術】
【０００２】
近年、化石燃料コストの上昇や世界的な環境意識の高揚により様々な代替エネルギーが求められているが、そのうちの１つとして、太陽エネルギーの利用が行われている。具体的には太陽光を直接電気に変換する太陽電池モジュール、太陽熱により水を温めて風呂の湯等として用いる太陽熱温水器、同じく空気を温めて暖房等に用いる空気集熱器等があるが、これらは通常パネル状のユニットとされて屋根の上等に設置されている（これらのパネル状のユニットを総称して太陽光利用パネルと称する）。
【０００３】
このような太陽光利用パネルは、従来、山形の屋根の南側の斜面に設置されることが多かったので、斜面に適するような太陽光利用パネル及びその取り付け構造については多数商品化され、低コスト化も進んでいる。
一方、最近になって、二酸化炭素排出量の削減等のため、太陽光の利用が益々推奨されるようになり、陸屋根や平地など、水平状面への太陽光利用パネルの設置も徐々に多くなっている。しかしながら、水平状面に特に適する太陽光利用パネルの需要はそれほど多くないため、水平状面に太陽光利用パネルを設置する技術はあまり報告されておらず、また低コスト化も進んでいないのが実情である。
【０００４】
例えば、従来から陸屋根等の水平状面に太陽光利用パネルを設置するための構造としては、断面形状が直角三角形状の架台を設けて斜面を作り、山形の屋根に取り付ける場合と同様、この斜面上に太陽光利用パネルを取り付ける支持構造が用いられてきた。しかしながら、この方法では太陽光利用パネルの高さが高くなりすぎ、大きな風圧が加わるので、その対策として、架台が設置される基盤に補強が必要になるうえ、架台にも風圧に耐えるだけの剛性を有する部材や補強材が必要になり、コストも高くなる。
【０００５】
また、他の方法としては、太陽電池パネルの下端側を支持する下端側支持部材と、太陽電池パネルの上端側を下端側よりも高い位置に支持する上端側支持部材とを備え、複数本のレール部材上に前記下端側支持部材と前記上端側支持部材とが支持されてなる支持構造が提案されている（特許文献１参照）。
しかしながら、この構造では下端側支持部材、上端側支持部材、及びこれらを支持するレール部材が全て長尺物であり、大きく且つ重すぎて当該長尺物の保存、運搬等に困難が伴う。また、この支持構造を組み立てるには、各レール部材の間や、上端支持部材と下端指示部材の間の距離を太陽光利用パネルの大きさにあわせて、正確に測定してから各部材を固定する必要が生じるため、組立作業も煩雑となり作業性も低下する。
【先行技術文献】
【特許文献】
【０００６】
【特許文献１】特開２００１−１５２６１９号公報
【発明の概要】
【発明が解決しようとする課題】
【０００７】
本発明は、かかる実情に鑑み、上記従来技術の問題点を解決し、コンパクトで保存や運搬のためのスペースや労力や費用が少なくて済み、部材間の距離を正確に測定する必要もなく、従って施工が容易で作業性が良好な太陽光利用パネルの設置台、設置装置、及び設置構造を提供することを目的とする。
【課題を解決するための手段】
【０００８】
上記課題を解決するための請求項１に係る本発明は、水平状面に太陽光利用パネルを列設するための設置台であって、前側の太陽光利用パネルの上部枠を固定するための上側固定部と、後側の太陽光利用パネルの下部枠を固定するための下側固定部と、水平状面への接地部を一体的に設けたことを特徴とする太陽光利用パネルの設置台を内容とする。
【０００９】
請求項２に係る発明は、コンクリート製であることを特徴とする請求項１に記載の太陽光利用パネルの設置台を内容とする。
【００１０】
請求項３に係る発明は、繊維混入プレス成形セメントモルタル製であることを特徴とする請求項１又は２に記載の太陽光利用パネルの設置台を内容とする。
【００１１】
請求項４に係る発明は、請求項１乃至３のいずれか１項に記載の設置台の上側固定部及び／又は下側固定部に太陽光利用パネルの上部枠又は下部枠を固定するための固定金具が設けられていることを特徴とする太陽光利用パネルの設置装置を内容とする。
【００１２】
請求項５に係る発明は、固定金具は上部枠又は下部枠を掛止するための鉤部材と、鉤部材を前後に摺動可能とするための軌道部材と、前記鉤部材と軌道部材を一体化させるための締結部材からなることを特徴とする請求項４に記載の太陽光利用パネルの設置装置を内容とする。
【００１３】
請求項６に係る発明は、水平状面に載置された請求項４又は５に記載の設置装置とその前側及び／又は後側に配置された太陽光利用パネルからなる太陽光利用パネルの設置構造であって、前記設置装置の下側固定部に後側の太陽光利用パネルの下部枠が固定されており、前記設置装置の上側固定部に前側の太陽光利用パネルの上部枠が固定されていることを特徴とする太陽光利用パネルの設置構造を内容とする。
【００１４】
請求項７に係る発明は、太陽光利用パネルが少なくとも４隅付近で設置装置に固定されていることを特徴とする請求項６に記載の太陽光利用パネルの設置構造を内容とする。
【００１５】
請求項８に係る発明は、太陽光利用パネルの傾斜角αが４〜２５°であり、前側に設置した太陽光利用パネルの上部枠と、後側に設置した太陽光利用パネルの下部枠のなす角βが３０〜６０°であることを特徴とする請求項６又は７に記載の太陽光利用パネルの設置構造を内容とする。
【００１６】
請求項９に係る発明は、太陽光利用パネルの側面に防風板が設けられることを特徴とする請求項６乃至８のいずれか１項に記載の太陽光利用パネルの設置構造を内容とする。
【００１７】
請求項１０に係る発明は、設置台の接地部が、水平状面に固定されていることを特徴とする請求項６乃至９のいずれか１項に記載の太陽光利用パネルの設置構造を内容とする。
【発明の効果】
【００１８】
本発明の太陽光利用パネルの設置台は、太陽光利用パネルの上部枠を固定するための上側固定部と、後側の太陽光利用パネルの下部枠を固定するための下側固定部を一体化してなるので、該設置台を配置すれば、太陽光利用パネルの前後間の距離については自動的に定まり、測定する必要がないので、施工が容易である。
また、設置台がコンパクトであるばかりでなく、太陽光利用パネルを設置するための部品点数が少ないので資材管理もし易く、かつ長尺の部材を使用しないので、安価で、取り扱い性が良好で、保存や運搬も容易である。
更にまた、水平状面と太陽光利用パネルとの隙間が小さくなるため風が入り込みにくく、太陽光利用パネルが風で舞い上がるといったトラブルも抑えられる。
【００１９】
設置台をコンクリート製、特に繊維混入プレス成形セメントモルタル製とすれば、設置台として十分な強度及び寸法精度、ひび割れ防止性能を有するばかりでなく、成形も容易で、また、風で太陽光利用パネルが容易に舞い上がらない程度の十分な重量を得ることができる。
【００２０】
設置台の上側固定部及び／又は下側固定部に固定金具を設けて設置装置とすれば、太陽光利用パネルの形状に関わらず、少ない種類の設置台で当該太陽光利用パネルを支持することができるので、汎用性が増す。
また、支持金具を鉤部材と、軌道部材と、締結部材から形成すると、設置台を配置する場所が多少ずれたとしても、鉤部材を軌道部材上で摺動させることにより位置の調整ができるので、設置台や設置装置の配置位置を正確に測定する必要がなく、施工性がさらに向上する。
【００２１】
設置装置の下側固定部に後側の太陽光利用パネルの下部枠を固定するとともに、設置装置の上側固定部に前側の太陽光利用パネルの上部枠を固定すれば、太陽光利用パネルは適切な斜面状に設置されるとともに、前後の太陽光利用パネルの間隔も適切に設定されるので、後側の太陽光利用パネルが前側の太陽光利用パネルの影に入るようなこともなく、発電効率やメンテナンス性に優れている。この際、太陽光利用パネルを少なくとも４隅付近で固定すれば、安定性が増す。
【００２２】
太陽光利用パネルの傾斜角αを４〜２５°とすると、太陽光を受光し易くなり発電効率が上昇し、太陽光利用パネルの表面に雨や埃がたまりにくくなり、さらに、太陽光利用パネルが吹き飛ばされにくくなる。また、前側に設置した太陽光利用パネルの上部枠と、後側に設置した太陽光利用パネルの下部枠のなす角βを３０〜６０°とすると、前側の太陽光利用パネルの影が後側の太陽光利用パネルに掛らないため、発電効率は低下しない。
また、太陽光利用パネルの側面に防風板を設けると、横風が吹いた場合でも太陽光利用パネルの下に風が入り込まず、太陽光利用パネルが横風で舞い上がるのを防ぐことができるとともに、埃やゴミの侵入を防ぐことができる。
さらに、設置台の接地部を水平状面に固定すれば、太陽光利用パネルは一層安定的に設置され、風等で吹き飛ばされる恐れがなくなる。
【図面の簡単な説明】
【００２３】
【図１】（ａ）は本発明の太陽光利用パネル設置台の一例を示す側面図であり、（ｂ）はその平面図である。
【図２】本発明の太陽光利用パネルの設置装置の一例を示す側面図である。
【図３】図１の設置台の上側／下側固定部に取り付ける固定金具の一例であり、（ａ）はその平面図であり、（ｂ）は側面図であり、（ｃ）は正面図である。
【図４】（ａ）は図３（ａ）におけるＡ−Ａ断面図であり、（ｂ）はそのＢ−Ｂ断面図である。
【図５】図３の固定金具で一般的な太陽光利用パネルを固定した状態を示す概略説明図である。
【図６】本発明の太陽光利用パネルの設置構造の一例を示す側面図である。
【図７】図６の太陽光利用パネルの設置構造の平面図である。
【図８】本発明の太陽光利用パネルの設置構造の他例を示す側面図である。
【図９】図８の太陽光利用パネルの設置構造の平面図である。
【図１０】設置台の接地部が水平状面に固定された状態の一例を示す概略断面図である。
【発明を実施するための形態】
【００２４】
本発明の太陽光利用パネルの設置台１Ａは、水平状面に太陽光利用パネルを列設するための設置台であって、図１に例示するように、前側の太陽光利用パネルの上部枠を固定するための上側固定部２ａと、後側の太陽光利用パネルの下部枠を固定するための下側固定部２ｂと、水平状面で該設置台を安定させるための接地部２ｃを一体的に設けたことを特徴とする。
また、本発明の太陽光利用パネルの設置装置１Ｂは、図２に例示するように、上記の設置台１Ａの上側固定部２ａ及び／又は下側固定部２ｂに太陽光利用パネルの上部枠５ａ又は下部枠５ｂを固定するための、固定金具４が設けられていることを特徴とする。
さらに、本発明の太陽光利用パネルの設置構造１Ｃは、図６に例示するように、上記の設置装置１Ｂとその前側及び／又は後側に配置された太陽光利用パネル５からなる太陽光利用パネルの設置構造１Ｃであって、設置装置の下側固定部２ｂに後側の太陽光利用パネルの下部枠５ｂが固定されており、設置装置の上側固定部２ａに前側の太陽光利用パネルの上部枠５ａが固定されていることを特徴とする。
なお、本発明において前側とは、傾斜して設置された太陽光利用パネルの低い側が位置する方向を指し、後側とはその反対側の高い側が位置する方向を指す。
また、本発明において水平状面とは、ビルの屋上といった陸屋根や地面等の実質的に水平状である面を指す。
【００２５】
本発明において、設置台１Ａは上側固定部２ａと下側固定部２ｂと接地部２ｃが一体的に設けられている。
上側固定部２ａ及び下側固定部２ｂは太陽光利用パネルの上部枠５ａ及び下部枠５ｂを固定するための部分であり、上部／下部枠５ａ、５ｂを上側／下側固定部２ａ、２ｂに直接固定できるようにしてもよいし、後述の固定金具４等を用いて固定できるようにしてもよい。図１に示した例では、設置台１Ａの前側に小高い平面部を設け、ここに固定金具取付用の小孔２ｄを穿設して上側固定部２ａとし、同様に設置台１Ａの後側に低い平面部を設け、ここにも固定金具取付用の小孔２ｄを穿設して、下側固定部２ｂとしている。
【００２６】
上側／下側固定部２ａ、２ｂは設置される太陽光利用パネル５の傾斜角αと実質的に平行になるような傾斜を付けられた平面状とすれば、上側／下側固定部２ｂ（又は後述の固定金具４）と太陽光利用パネル５が密着し、安定性が増す。
しかしながら、この効果を最大限発揮するためには、施工時に設置台１Ａの間隔を厳密に測定するとともに、常に同じ大きさの太陽光利用パネル５を使用する必要があり、この場合、施工性と汎用性が共に低下する。
従って、安定性、施工性、汎用性を両立させるためには、上側固定部２ａの傾斜角を設置される太陽光利用パネル５の傾斜角α（例えば６°）に対し、数度（例えば１〜２°）深くするとともに（例えば８°）、下側固定部２ｂの傾斜角を数度浅くする（例えば５°）ほうが好ましい。また、弾性シートを介在させて、傾斜角を調整することもできる。
【００２７】
なお、標準よりも短い太陽光利用パネル５を使用した結果、傾斜角αが上側固定部２ａの傾斜角よりも深くなったり（上記の例では例えば９°）、或いは逆に長い太陽光利用パネル５を使用した結果、傾斜角αが下側固定部２ｂの傾斜角よりも浅くなったり（上記の例では例えば４°）すれば、太陽光利用パネルの端部に通常設けられる係合突起５ｃが上側／下側固定部２ａ、２ｂ（又は後述の固定金具４）に対し浮いてしまい、固定部分の安定性が低下してしまう。このような事態を避けるため、太陽光利用パネル５のサイズに関わらず使用できるような汎用性を重視する場合は上側固定部２ａの傾斜角を更に深めにし、下側固定部２ｂの傾斜角を更に浅めにするほうが好ましい。具体的には、上側固定部２ａの傾斜角を下側固定部２ｂの傾斜角に対して３〜１０°深くなるようにすればよい。
【００２８】
本発明において接地部２ｃは、水平状面の上に設置台１Ａを安定的に載置するための部分である。図１に示した例では、上側固定部２ａの前側、上側固定部２ａと下側固定部２ｂの間、下側固定部２ｂの後側にそれぞれ設けられているが、別の態様でもよく、最も単純には一枚の平板状であってもよい。
【００２９】
設置台１Ａの材質は、太陽光利用パネル５を支持できる程度の強度があれば特に限定されないが、風に煽られた際の重しになる程度の重量がある材料が好ましく、さらにはコスト及び成型のし易さの点からコンクリート製が好ましく、その中でも特に強度及び寸法精度、ひび割れ防止性能に優れている点で繊維混合プレス成型セメントモルタル製が好ましい。
【００３０】
本発明の設置台１Ａの形状は、上記上側固定部２ａと下側固定部２ｂと接地部２ｃが含まれる限りどんな形状でもよいが、具体的には図１に示したような、急傾斜板状の立上げ部３ａと、緩傾斜平板状の上側固定部２ａと、急傾斜板状の第１斜降部３ｂと、緩斜面平板状の下側固定部２ｂと、急斜面板状で第１斜降部よりも低い第２斜降部３ｃとを連続的に設け、立上げ部３ａと第１／第２斜降部３ｂ、３ｃの下端が接地部２ｃとされた形状が例示できる。その他、平板状の接地部２ｃに高いテーブル状の上側固定部２ａと、低いテーブル状の下側固定部２ｂを固着したような形状も例示できる。
【００３１】
本発明の設置台１Ａは、その上側／下側固定部２ａ、２ｂと太陽光利用パネル５の上部／下部枠５ａ、５ｂの形状によっては単独で使用できる場合もあるが、上側／下側固定部２ａ、２ｂに上部／下部枠５ａ、５ｂを固定するための固定金具４を設ければ、上部／下部枠５ａ、５ｂの形状に関わらず固定でき、汎用性が向上する。
【００３２】
固定金具４の形状、構造は、設置台１Ａと太陽光利用パネル５の間に介在して、これらを固定できるものであれば特に限定されず、例えば種々の太陽光利用パネル５、５における係合突起５ｃの形状や大きさに合わせて専用の固定金具４をそれぞれ用意し、必要に応じて最適な固定金具４に付け替えてもよいが、図３及び図４に示したような、鉤部材４ａと、軌道部材４ｂと、締結部材４ｃからなるものが汎用性の点で好ましい。
【００３３】
図３及び図４に示す固定金具４において、鉤部材４ａは太陽光利用パネルの端部に通常設けられている係合突起５ｃに係合されて、上部／下部枠５ａ、５ｂを掛止する部材である（図５参照）。鉤部材４ａの形状は、太陽光利用パネルの上部／下部枠５ａ、５ｂを掛止可能な形状であれば特に限定されないが、図示した例においては、中央に後述の締結部材４ｃとして使用するボルトの軸が挿通可能な孔が穿設された平板部分と、その縁部に設けられ前記係合突起５ｃと係合可能な鉤部分からなるものが使用されている。
【００３４】
軌道部材４ｂは鉤部材４ａと未締結状態の締結部材４ｃを一定軌道に沿って摺動させるための部材である。これにより、設置装置１Ｂの配置が少々ずれたとしても、鉤部材４ａを摺動させることにより調整して太陽光利用パネル５を掛止可能となり、作業性が向上する。
軌道部材４ｂの形状は、鉤部材４ａと未締結状態の締結部材４ｃを摺動させる際に、その移動方向を規制できる形状であれば特に限定されないが、図示した例では、下部板と、間隔保持壁を介して前記下部板に固着された上部板からなり、上部板には後述の締結部材４ｃとして使用するボルトの軸が挿通可能であり、ボルトの頭及びナットが挿通不能な幅のスリットが設けられ、下部板と上部板の間は少なくとも前記ボルトの頭が挿通可能な空間が形成されている形状のものが使用されている。また、下部板には前記設置台１Ａの小孔２ｄと連通する固定孔が穿設されている。
【００３５】
締結部材４ｃは、必要に応じて緊締し上記鉤部材４ａを軌道部材４ｂ上に固定するとともに、太陽光利用パネル５を掛止し、さらに別の必要に応じて緩めて鉤部材４ａを摺動可能にするための手段である。
締結部材４ｃの形状は、鉤部材４ａと軌道部材４ｂの上部板を共に緊締できる形状であれば特に限定されないが、図示した例においては、ボルト、ナット、座金の組み合せを締結部材として使用し、ボルトの頭を軌道部材４ｂの下部板と上部板の間に挿入して、軸の部分を軌道部材４ｂのスリット及び鉤部材４ａの平板部中央に穿設された孔に挿入し、座金を介してナットで締め付けるようにされている。
【００３６】
上記のような設置装置１Ｂを用いて太陽光利用パネル５を設置するには、図６に示したように、一の設置装置１Ｂの下側固定部２ｂに後側の太陽光利用パネル５の下部枠５ｂを固定するとともに、同設置装置１Ｂの上側固定部２ａに前側の太陽光利用パネル５の上部枠５ａを固定し、後側の太陽光利用パネル５の上部枠５ａ及び前側の太陽光利用パネル５の下部枠５ｂについては他の設置装置１Ｂを用いて固定すればよい。即ち、前後に配列された太陽光利用パネルの間隙部分を本発明の設置装置１Ｂを用いて接続する構造にすれば、太陽光利用パネルを適切な角度に傾斜させた太陽光利用パネルの設置構造１Ｃが形成される。なお、最前の太陽光利用パネルの下部枠５ｂ及び最後尾の太陽光利用パネルの上部枠については、本発明の設置装置１Ｂの上側／下側固定部２ａ、２ｂの一方だけを用いてもよいし、別途、端部用の設置装置を用いてもよい。
【００３７】
太陽光利用パネル５の固定は、少なくとも上部枠５ａ側及び下部枠５ｂ側でそれぞれ一箇所づつ固定すれば足りるが、図７に示したように太陽光利用パネル５の４隅付近を設置装置１Ｂで固定すれば、太陽光利用パネル５を安定的に設置することができる。なお、必要に応じ、上記よりも多くの設置装置１Ｂを用いて固定してもよい。
【００３８】
なお、太陽光利用パネル５の傾斜角αを４〜２５°程度とすれば、雨水や埃等が斜面に沿って流下又は落下するため、太陽光を効率よく受光することができるとともに、メンテナンスの手間が激減するため好ましい。そのためには、本発明の設置台１Ａ、設置装置１Ｂにおける上側固定部２ａと下側固定部２ｂの高度差を、太陽光利用パネル５のサイズを勘案して定めればよい。例えば、使用する太陽光利用パネル５の長さがＬのとき、上側固定部２ａと下側固定部２ｂの高度差をＬ×Ｓｉｎ４°乃至Ｌ×Ｓｉｎ２５°（太陽光利用パネル５の長さが９０ｃｍのとき高度差は約６．３〜３８ｃｍ）にすればよい。
【００３９】
また、前側に設置した太陽光利用パネル５の上部枠と、後側に設置した太陽光利用パネル５の下部枠のなす角（便宜上、パネル間隙部の傾斜角と称することがある）βについては３０〜６０°程度が好ましい。この程度であれば、前側の太陽光利用パネル５の影が後側の太陽光利用パネル５にかかることもないので、太陽光の利用効率は悪化しない。なお、パネル間隙部の傾斜角βは本発明の設置台１Ａ、設置装置１Ｂの形状にほぼ依存するが、固定金具４の鉤部材４ａをスライドさせて太陽光利用パネルの上部／下部枠５ａ、５ｂの固定個所をずらすことにより微調整することもできる。
【００４０】
本発明による太陽光利用パネルの設置構造１Ｃを高層ビルの屋上や海辺近くの平地等のように風が強い場所に設置する場合は、太陽光利用パネル５の下に風が入り込み、この太陽光利用パネル５が吹き飛ばされてしまう危険がある。従って、風が強い場所に太陽光利用パネルの設置構造１Ｃを設ける場合には、側面又は後方から風が入り込まないようにしておくほうが好ましい。
【００４１】
側面からの風を防ぐには、図８、図９に示すように、太陽光利用パネル５の側面に防風板６を設けるのが好ましい。防風板６の形状は太陽光利用パネル５の下への風を妨げる形状であれば特に限定されないが、太陽光利用パネル５の下のみならず、上側／下側固定部２ａ、２ｂの下の空間も塞げれば更に好ましい。なお、太陽光利用パネル５に積もった埃等を吹き飛ばすことが出来るよう、防風板６は太陽光利用パネル５の上側にはみ出さないようにするほうがよい。
【００４２】
後方からの風を防ぐには、前述のような防風板を設けることも可能であるが、図９に示す様に、上側固定部２ａと下側固定部２ｂの間に板状の斜降部（図１における第１斜降部３ｂ及び第２斜降部３ｃに相当）を有する設置装置１Ｂを横一列に並設することにより、斜降部が防風板の役割を果たすので、防風の効果を得ることができる。また、これらの並設した設置装置１Ｂで太陽光利用パネル５を支持すれば、設置構造１Ｃが全体として重くなるので、風の影響を受けにくくなる。なお、設置装置１Ｂは図９に示すように、隙間無く並設したほうが防風効果は高いが、風がそれほど強くない場合は適当な間隔を空けて並設してもよく、風の強さに応じて適宜調節することができる。
【００４３】
また、必要に応じ、設置台１Ａの接地部２ｃを水平状面Ｇに固定することができる。これにより、太陽光利用パネル５は一層安定的に設置され、例えば風で吹き飛ばされるのを確実に防止することができる。固定方法は特に限定されないが、例えば図１０に示すように基礎コンクリート７ａにアンカーボルト７ｂを埋め込み、これを用いて固定する方法や、基礎コンクリート７ａの上をアスファルトで舗装し、このアスファルトに接地部２ｃを半ば埋め込むように設置台１Ａを配置する方法が例示できる。その他、コンクリート釘、押さえ金具、接着剤などの固定手段を使用して、設置台１Ａを水平状面Ｇに固定してもよい。
【産業上の利用可能性】
【００４４】
上記したとおり、本発明の太陽光利用パネルの設置台、設置装置、設置構造は、部品点数が少なく、コストが安く、長尺物を使用する必要がないので、施工が容易であるとともに、保管や運搬が容易で、取り扱い性も良好であり、極めて有用性の高いものである。
【符号の説明】
【００４５】
１Ａ  設置台
１Ｂ  設置装置
１Ｃ  設置構造
２ａ  上側固定部
２ｂ  下側固定部
２ｃ  接地部
２ｄ  小孔
３ａ  立上げ部
３ｂ  第１斜降部
３ｃ  第２斜降部
４  固定金具
４ａ  鉤部材
４ｂ  軌道部材
４ｃ  締結部材
５  太陽光利用パネル
５ａ  上部枠
５ｂ  下部枠
５ｃ  係合突起
６  防風板
７ａ  基礎コンクリート
７ｂ  アンカーボルト
Ｇ  水平状面
α  太陽光利用パネルの傾斜角
β  パネル間隙部の傾斜角
【図１】
2011099256.tif 000003
【図２】
2011099256.tif 000004
【図３】
2011099256.tif 000005
【図４】
2011099256.tif 000006
【図５】
2011099256.tif 000007
【図６】
2011099256.tif 000008
【図７】
2011099256.tif 000009
【図８】
2011099256.tif 000010
【図９】
2011099256.tif 000011
【図１０】
2011099256.tif 000012